(57)【要約】【課題】人が思いがけなく挟まれて怪我をするという事態を防止することを可能にする安全性が高い電動ベッドを提供する。【解決手段】本体２０、モーター２４、シャフト２６及び背もたれフレーム３０を備える。そのうちのモーター２４は本体２０に装着される。シャフト２６はモーター２４の駆動によって伸縮可能であり、シャフト２６の自由端２７はピン２８を有する。背もたれフレーム３０は本体２０に装着され、かつ背もたれフレーム３０から下に延伸して形成された支持アーム３２を有し、支持アーム３２はピン２８を差し込むために長孔３４を有する。モーター２４の駆動によってシャフト２６を後退させるとき、背もたれフレーム３０は支持アーム３２によって旋転して持ち上がることが可能である。モーター２４の駆動によってシャフト２６を前進させるとき、背もたれフレーム３０は重力によって倒れることが可能である。【選択図】図５
0003141000.tif 000002
【実用新案登録請求の範囲】
【請求項１】
本体と、
前記本体に装着されるモーターと、
前記モーターの駆動によって伸縮可能であり、自由端にピンを有するシャフトと、
前記本体に装着される背もたれフレームと、
前記背もたれフレームから下に延伸して形成され、前記ピンを差し込むための長孔を有する支持アームと、
を備え、
前記シャフトが前記モーターの駆動によって後退するとき、前記背もたれフレームは前記支持アームによって旋転して持ち上がることが可能であり、前記シャフトが前記モーターの駆動によって前進するとき、前記背もたれフレームは重力によって倒れることが可能であることを特徴とする電動ベッド。
【請求項２】
前記支持アームの前記長孔は、前記モーターに近い第一端と前記モーターから遠く離れる第二端とを有し、正常な操作過程において前記ピンは前記長孔の前記第一端に位置することを特徴とする請求項１に記載の電動ベッド。
【請求項３】
前記シャフトは、前記モーターに伴い、振り動くことを特徴とする請求項１に記載の電動ベッド。
【考案の詳細な説明】
【技術分野】
【０００１】
本考案は、電動ベッドに関し、特に人が思いがけなく挟まれて怪我をするという事態を防止することを可能にする安全性が高い電動ベッドに関するものである。
【背景技術】
【０００２】
従来の電動ベッドは、ベッド本体、ベッド本体に装着される背もたれフレーム、ベッド本体に固定される腰部フレーム、ベッド本体に装着される足部フレーム及びベッド本体に固定されるモーターを備える。モーターはシャフトを伸縮させるように駆動することが可能である。背もたれフレームはシャフトに連接される支持アームを有する。シャフトはスチール線によって足部フレームに連接される。これにより、モーターの駆動によってシャフトを後退させれば、背もたれフレームは支持アームによって持ち上がり、足部フレームはスチール線によって曲がって持ち上がる。逆にモーターの駆動によってシャフトを前進させれば、背もたれフレームと足部フレームは本来の水平状態に復元することが可能である。
【０００３】
しかし、背もたれフレームはシャフトの伸縮によって持ち上がったり、水平状態に倒れたりするため、背もたれフレームが倒れる際、背もたれフレームとベッド本体の間に、人が誤って入り込むという事態が発生する場合、人が挟まれて怪我あるいは死に至るような人身事故を起こす恐れがある。従って、安全性を配慮しなければならない。
【考案の開示】
【考案が解決しようとする課題】
【０００４】
本考案の主な目的は、人が思いがけなく挟まれて怪我をするという事態を防止することを可能にする安全性が高い電動ベッドを提供することである。
【課題を解決するための手段】
【０００５】
上述の目的を達成するために、本考案による電動ベッドは、本体、モーター、シャフト及び背もたれフレームを備える。そのうちのモーターは本体に装着される。シャフトはモーターの駆動によって伸縮可能であり、シャフトの自由端はピンを有する。背もたれフレームは本体に装着され、かつ背もたれフレームから下に延伸して形成された支持アームを有し、支持アームはピンを差し込むために長孔を有する。モーターの駆動によってシャフトを後退させる時、背もたれフレームは支持アームによって旋転して持ち上がることが可能である。モーターの駆動によってシャフトを前進させる時、背もたれフレームは重力によって倒れることが可能である。
【考案を実施するための最良の形態】
【０００６】
以下、本考案の実施の形態を図面に基づいて説明する。      
【０００７】
（一実施例）
図１と図２に示すように、本考案の一実施例による電動ベッド１０は、本体２０、モーター２４、シャフト２６、背もたれフレーム３０、腰部フレーム３７、足部フレーム３８及びスチール線４０を備える。
【０００８】
本体２０は矩形の外枠２１、外枠２１を支持可能な六本の脚部２２及び外枠２１の左側に配置される横棒２３を有する。
【０００９】
モーター２４は振り動きが可能なように本体２０の横棒２３に装着され、シャフト２６はモーター２４の駆動によって伸縮可能である。またシャフト２６はモーター２４に伴って振り動き、シャフト２６の自由端としての右端２７は横向きに配置されるピン２８を有する。
【００１０】
背もたれフレーム３０は本体２０の左側に装着され、かつ背もたれフレーム３０から下に延伸して形成された支持アーム３２を有する。支持アーム３２はピン２８を差し込むために長孔３４を有する。長孔３４はモーター２４に近い第一端３５とモーター２４から遠く離れる第二端３６とを有する。
【００１１】
腰部フレーム３７は本体２０の中間部に固定される。足部フレーム３８は本体２０の右側に装着される。スチール線４０は、足部フレーム３８の自由端としての右端３９とシャフト２６の自由端２７とを接続する。
【００１２】
図３と図４に示すように、シャフト２６がモーター２４の駆動を受けて後退する時、背もたれフレーム３０は支持アーム３２によって時計回りに旋転して持ち上がることが可能であり、足部フレーム３８はスチール線４０によって引っ張られて上に曲がってくることが可能である。シャフト２６がモーター２４の駆動を受けて前進する時、背もたれフレーム３０は背もたれフレーム３０及び使用者の重量によって逆時計回りに沿って倒れることが可能である。図１と図２に示すように、正常な操作過程において、シャフト２６のピン２８は長孔３４の第一端３５に位置付けられる。
【００１３】
図５に示すように、背もたれフレーム３０を倒す過程において、人または異物４２が背もたれフレーム３０と本体２０の間に誤って入り込むという事態が発生した場合、モーター２４はシャフト２６とともに本体２０に対し振り動き、シャフト２６は依然として本来の設定によって持続的に前進するが、ピン２８は長孔３４に沿って第二端３６に移動するため、背もたれフレーム３０はモーター２４の駆動を受けて持続的に倒れることなく、異物４２によって遮断されて作動を停止される。従って、人が挟まれて怪我をするような人身事故を防止することが可能である。足部フレーム３８は影響を受けず水平状態に倒れる。また、図１に示す通り、シャフト２６を予め設定した極限位置まで前進させる場合、背もたれフレーム３０は手動方法によって時計回りに沿って持ち上げることが可能であるため、使用上の安全性を配慮する必要がない。
【００１４】
本考案の精神に基づいて電動ベッドの構造に変化を加えること、例えばモーターの代わりに別の動力源を本体の上または別の部位に装着し、必要に応じて長孔の長さを変え、かつその構造を固定式本体または折り畳み式本体に応用することは可能であるため、容易に着想可能な構造の変化は本考案の請求範囲に属すべきである。
【図面の簡単な説明】
【００１５】
【図１】本考案の一実施例による電動ベッドの正面図である。
【図２】本考案の一実施例による電動ベッドの平面図である。
【図３】本考案の一実施例による電動ベッドの正常な操作過程における作動を示す正面図である。
【図４】本考案の一実施例による電動ベッドの正常な操作過程における作動を示す立体斜視図である。
【図５】本考案の一実施例による電動ベッドの人または異物が入り込んだ場合の作動を示す正面図である。
【符号の説明】
【００１６】
１０：電動ベッド、２０：本体、２１：外枠、２２：脚部、２３：横棒、２４：モーター、２６：シャフト、２７：自由端、２８：ピン、３０：背もたれフレーム、３２：支持アーム、３４：長孔、３５：第一端、３６：第二端、３７：腰部フレーム、３８：足部フレーム、３９：自由端、４０：スチール線、４２：異物
【図１】
0003141000.tif 000003
【図２】
0003141000.tif 000004
【図３】
0003141000.tif 000005
【図４】
0003141000.tif 000006
【図５】
0003141000.tif 000007